(57)【要約】【課題】多重化した設備の稼動時間を平均化し、各設備の効率的利用を図って保全期間も長くでき、保全時期の計画も容易にできるプラント保全管理システムを提供する。【解決手段】プラント保全管理システムは、プラントに多重化して設置して切り換え使用する設備１と、各設備１を監視制御するコントローラ２と、コントローラ２からの制御データを監視制御する操作卓３と、これに連なる保全管理支援装置５とを有している。保全管理支援装置５には、各設備が稼動した実績データを前記設備保全用データベースに格納する実績データ格納処理部７と、設備稼働実績情報や設備情報から多重化した設備の稼動時間を平均化するための稼働設備平均化処理部８と、設備稼働実績情報や設備情報から多重化した設備１の保全時期を算出選定する保全時期算出処理部９とを有する実績データ解析手段６を設けている。【選択図】図１
2007233561.tif 000002
【特許請求の範囲】
【請求項１】
プラントに多重化して設置して切り換え使用する設備と、前記各設備をそれぞれ監視制御するコントローラと、前記各コントローラからの制御データを監視制御する操作卓と、前記操作卓に連なる保全管理支援装置とを有するプラント保全管理システムにおいて、前記保全管理支援装置には、前記各設備が稼動した実績データを前記設備保全用データベースに格納する実績データ格納処理部と、設備稼働実績情報や設備情報から多重化した前記設備の稼動時間を平均化するための稼働設備平均化処理部と、設備稼働実績情報や設備情報から多重化した前記設備の保全時期を算出選定する保全時期算出処理部とを有する実績データ解析手段を設けて構成したことを特徴とするプラント保全管理システム。
【発明の詳細な説明】
【技術分野】
【０００１】
本発明は、プラント保全管理システムに係り、特に多重化して適宜切り換え使用するプラントの各種の設備の保守管理に好適なプラント保全管理システムに関する。
【背景技術】
【０００２】
通常、各種のプラントを構成する補機等の設備の保守や点検業務を容易に、しかも確実に行うため、種々の対策がなされている。例えば、設備の保全管理業務を担当する作業者が携帯する携帯端末本体を、各設備に与えた少なくとも一つの設備ＩＤ（ＩＤｅｎｔｉｆｉｃａｔｉｏｎ）のそれぞれ及び各設備の点検順序を示す点検順序情報等を登録する点検スケジュールを管理する制御装置と、各種情報を表示するディスプレイと、設備に貼付された無線タグからの設備ＩＤを受信するインタフェース装置とを備えて構成することが提案されている（特許文献１参照）。この携帯端末本体の制御装置は、インタフェース装置が設備ＩＤを受け付けたときに、登録してある点検順序情報をもとに、現時点で入力されるべき設備ＩＤを点検スケジュールから抽出し、抽出した設備ＩＤと、インタフェース装置が受け付けた設備ＩＤとを比較して、その結果をディスプレイに表示することで、設備の点検保守を確実に行える。
【０００３】
また、設備の点検操作順序情報と設備の位置情報と移動経路情報を表示する表示装置と、予め設備の任意の場所に貼付された個体識別可能な無線タグからのＩＤ情報を受信する通信装置と、点検操作員がＩＤ情報を取得すると内蔵した点検操作順序情報及び設備の位置情報とＩＤ情報から点検操作員の現在位置を同定し、作業者が進路を認識できる地図情報と移動方向を表示装置上に表示する制御装置を有して携帯端末装置を構成する現場点検操作支援装置が提案されている（特許文献２参照）。この現場点検操作支援装置では、点検操作を現場巡回中に携帯端末装置を必要に応じて繰り返し操作することで、作業者は対象設備に誘導し、最適経路で現場点検操作を行える。
【０００４】
更に、保守点検の対象となる対象物と、保守点検情報を送受信するネット端末と、前記ネット端末に接続され顧客の保守点検情報を保管し管理するホストコンピュータと、前記保守点検対象物に無線でアクセスして保守点検対象物の情報を収録すると共にネット端末と交信する携帯情報端末により巡回管理システムを構成することも提案されている（特許文献３参照）。この巡回管理システムでは、保守点検対象物にＲＦＩＤ（Ｒａｄｉｏ Ｆｒｅｑｕｅｎｃｙ ＩＤｅｎｔｉｆｉｃａｔｉｏｎ）タグを搭載し、ＲＦＩＤタグの情報記憶部及び携帯情報端末の情報収納部には少なくとも保守点検対象物の固有情報が格納しており、事前にその日の巡回先と保守点検の対象物情報を携帯情報端末に登録して、保守点検漏れをなくし、また携帯情報端末から情報収集結果を伝送することで補填商品や備品等の発注を早期に実現することができる。
【０００５】
【特許文献１】特開平１０−２２２５４３号公報
【特許文献２】特開２００１−１１８１７７号公報
【特許文献３】特開２００３−１５０７３３号公報
【発明の開示】
【発明が解決しようとする課題】
【０００６】
一般に、プラントを構成する補機等の設備は多重化しており、この多重化した設備を適宜切り換え使用してプラントが運転停止することのないようにしている。多重化した設備では、それぞれの運転状況より設備の稼働時間に差が生じ、この結果上記した各特許文献のように行う各設備の保守時期も異なってくる。
【０００７】
多重化した設備の稼動効率を向上するには、設備の定期的な保全を適切な時期に行う必要があるが、従来の保全は単純に停止中の設備を対象にするか、保守作業者の経験や慣習的に立案した保全計画で実施することが多くなっている。このため、例えば突発的な故障等の事前計画外で設備の保全作業が発生した場合には、他の多重化した設備の適切な保全時期を設定するのが難しく、また多重化した設備の種類や設置場所等により、設備の故障傾向が異なるから、最適な定期点検の周期も判断できず、プラントの運転に支障をきたす問題があった。
【０００８】
本発明の目的は、プラントに設ける多重化した設備の稼動時間を平均化し、各設備の効率的利用を図って保全期間も長くでき、保全時期の計画も容易にできるプラント保全管理システムを提供することにある。
【課題を解決するための手段】
【０００９】
本発明のプラント保全管理システムでは、プラントに多重化して設置して切り換え使用する設備と、前記各設備をそれぞれ監視制御するコントローラと、前記各コントローラからの制御データを監視制御する操作卓と、前記操作卓に連なる保全管理支援装置とを有するプラント保全管理システムにおいて、前記保全管理支援装置には、前記各設備が稼動した実績データを前記設備保全用データベースに格納する実績データ格納処理部と、設備稼働実績情報や設備情報から多重化した前記設備の稼動時間を平均化するための稼働設備平均化処理部と、設備稼働実績情報や設備情報から多重化した前記設備の保全時期を算出選定する保全時期算出処理部とを有する実績データ解析手段を設けて構成したことを特徴とする。
【発明の効果】
【００１０】
本発明のようにプラント保全管理システムを構成すれば、プラントに多重化して切り換え使用する各種の設備の稼動時間を平均化し、各設備の効率的利用を図って保全期間も長くでき、しかも各設備の保全計画も容易に行える効果がある。
【発明を実施するための最良の形態】
【００１１】
本発明のプラント保全管理システムは、プラントに多重化して設置して切り換え使用する設備と、この各設備を監視制御するコントローラと、これらコントローラからの制御データを監視制御する操作卓と、前記操作卓に連なる保全管理支援装置とを有し、この保全管理支援装置には、実績データ解析手段を設けている。
【実施例１】
【００１２】
以下、本発明のプラント保全管理システムシステムについて、図１及び図２に示す実施例を用いて説明する。プラントには補機等の各種の設備１を、複数台を設置して多重化し、これら並置して多重化した同一構成の各設備１を交互に切り換え使用する。
【００１３】
各設備１は、従来と同様にそれぞれプログラマブルロジックコントローラ（Ｐｒｏｇｒａｍｍａｂｌｅ  Ｌｏｇｉｃ  Ｃｏｎｔｒｏｌｌｅｒ：ＰＬＣ）等のコントローラ２によって監視制御している。このコントローラ２は、監視制御室内の電子計算機を含む操作卓３と接続し、コントローラ２から操作卓３側に送信されてくる各設備１に関する稼動データ等を、監視担当者が監視制御する。
【００１４】
電子計算機を含む操作卓３は、通信インタフェース３Ａを介して、電子計算機を用いて構成する本発明の保全管理支援装置１０内に備える通信インタフェース１６と連なり、各設備１の稼動データを送受信するようにしている。
【００１５】
保全管理支援装置１０は、図１に示す如く実績デ−タ解析手段６を設け、操作卓３から送信される設備１に関するデータを記録保存した設備保全用データベースＤＢを使用し、データの解析から設備１の稼動実績の平均化や設備１の保全時期の管理に活用する。
【００１６】
保全管理支援装置１０の実績デ−タ解析手段６には、設備１が稼動した実績データを設備保全用データベースＤＢに格納する実績データ格納処理部７と、設備稼働実績情報や設備情報から同一構成の複数設備の稼動時間を平均化するための稼働設備平均化処理部８と、設備稼働実績情報や設備情報から、設備１の保全時期を算出選定する保全時期算出処理部９とを備えている。これら各処理部７から９は、それぞれ後述する処理手順のように動作し、設備１の稼動実績を平均化するように運転したり、設備１の保全時期の管理に効果的に使用する。
【００１７】
また、各設備１の稼働時間の平均化処理時や設備１の保全計画に使用する設備保全用データベースＤＢは、各設備１の例えば１時間単位の稼働時間を一定期間格納している設備稼働実績情報や、各設備１のマスタ情報であって、例えば寿命までの累積稼働時間や使用場所等が格納している設備情報等を保有している。
【００１８】
まず、保全管理支援装置１０では、実績デ−タ解析手段６の実績データ格納処理部７が、図３に示すように操作卓３から各設備１の設備稼働データを、通信インタフェース１０を介してデータ収集を行い（ステップＳ２０）、収集した設備稼働データを設備保全用データベースＤＢに格納を行い（ステップＳ２１）、これらの処理手順を一定周期で実施して必要なデータを記録格納している。
【００１９】
また、多重化した設備１の稼動時間を平均化するため、実績デ−タ解析手段６の稼働設備平均化処理部８は、図４に示す次の処理を実施する。即ち、設備保全用データベースＤＢから設備情報を読み込み（ステップＳ３０）、同一の設備１が複数台有るかどうかの判定処理を行い（ステップＳ３１）、有りの時には設備保全用データベースＤＢから設備稼働実績データの読み込みを実施する（ステップＳ３２）。
【００２０】
続いて、稼働累積時間の比較処理や一定期間の稼働パターンの比較処理を行い、例えば１ヶ月や１年後等の将来的な稼働時間の差を求め（ステップＳ３３）、この解析結果を表示する（ステップＳ３４）。稼働設備平均化処理部８では、多重化してある設備１を平均的に利用するため、このデータの解析結果を基に選択し、次に使用する設備１を適切に選ぶことができる。
【００２１】
更に、多重化した設備１の保全時期の選定処理を行う保全時期算出処理部９では、図５に示すように設備保全用データベースＤＢから設備１の寿命累積稼働時間、又は次期点検までの累積稼働累積時間等の設備情報を読み込み取得し（ステップＳ４０）、次に設備稼働実績データを読み込み、参照をする（ステップＳ４１）。
【００２２】
続いて、多重化した設備１の一定期間の稼働パターンから、寿命累積稼働時間又は次期点検までの累積稼働累積時間に到達する時期の算出処理を行い（ステップＳ４２）、算出処理した結果を表示する（ステップＳ４３）。この算出処理した結果や、予め定めた条件に基づいて作成する一覧表等を用いて、保全時期算出処理部９では多重化した対象設備１の保全時期を選定する。選定した対象設備１を、適切な時期に保全することにより、故障や過度な使用を未然に防ぎ、結果的に設備を安全に長期間使用することができる。
【００２３】
設備１の保全時期の選定あたっては、保全管理者が現在稼動中のものは含めないとか、取得した稼働時間を比較して稼働時間が最小のものを対象とする等の条件を定めて運用し、対象となる設備は適切な時期に作業者によって従来から公知の各種の手段を用いて、定められた保全を行うようにする。
【図面の簡単な説明】
【００２４】
【図１】本発明のプラント保全管理システムの実施例を示す概略構成図である。
【図２】本発明を適用するプラント保全管理システムを示す概略図である。
【図３】実績データ格納処理部の処理手順を示すフローチャートである。
【図４】稼動設備平均化処理部の処理手順を示すフローチャートである。
【図５】保全時期算出処理部の処理手順を示すフローチャートである。
【符号の説明】
【００２５】
１…設備、２…コントローラ、３…操作卓、４…表示手段、５…保全管理支援装置、６…実績データ解析手段、７…実績データ格納処理部、８…稼動設備平均化処理部、９…保全時期算出処理部、ＤＢ…稼動保全用データベース。
【図１】
2007233561.tif 000003
【図２】
2007233561.tif 000004
【図３】
2007233561.tif 000005
【図４】
2007233561.tif 000006
【図５】
2007233561.tif 000007